(57)【要約】【課題】紙幣案内板上に異物がこぼれた場合であっても、当該異物が筐体内の各種装置にかかることなく回収することが可能な遊技機を提供する。【解決手段】筐体と、前記筐体の前面開口部に設けられた扉体３と、扉体３に設けられた紙幣挿入口５２０と、紙幣挿入口５２０の下辺部より筐体前面方向に向けて突出した、紙幣を紙幣挿入口５２０に案内するための紙幣案内板５２Ａと、を備える遊技機であって、紙幣案内板５２Ａには、開口溝５２４と、開口溝５２４の略真下方向に位置し外部からの異物を誘導する誘導部と、が備えられており、扉体３の裏面側には、前記誘導部に誘導される異物を回収するためのドレンボトル７が備えられている。【選択図】      図７
2004147880.tif 000002
【特許請求の範囲】
【請求項１】
筐体と、
前記筐体の前面開口部に設けられた扉体と、
前記扉体に設けられた紙幣挿入口と、
前記紙幣挿入口の下辺部より筐体前面方向に向けて突出した、紙幣を前記紙幣挿入口に案内するための紙幣案内板と、を備える遊技機であって、
前記紙幣案内板には、開口溝と、前記開口溝の略真下方向に位置し外部からの異物を誘導する誘導部と、が備えられており、
前記扉体の裏面側には、前記誘導部に誘導される異物を回収するための回収容器が備えられていることを特徴とする遊技機。
【請求項２】
前記回収容器の上面開口部は、前記誘導部の下の略真下方向に位置するとともに、当該誘導部の下端部における断面よりも大きな断面積を有することを特徴とする請求項１記載の遊技機。
【請求項３】
前記回収容器は、前記扉体の裏面側に取り付けられており、且つ該扉体の裏面より取り外し自在に装着されていることを特徴とする請求項１又は２記載の遊技機。
【請求項４】
前記回収容器は、その上面開口部の下部に位置する収容部分の水平断面が横方向の大きな長さ形状を有する横長の形状であるとともに、前記横方向が前記扉体の裏面に沿うように装着されていることを特徴とする請求項１から３いずれか記載の遊技機。
【請求項５】
前記回収容器は、略透明状或いは半透明状の材質よりなることを特徴とする請求項１から４いずれか記載の遊技機。
【発明の詳細な説明】
【０００１】
【発明の属する技術分野】
本発明は、遊技機に関するものである。
【０００２】
【従来の技術】
カジノなどに設置されている、ビデオポーカーやスロットマシン等の遊技機には、コインやメダルなどの代わりに直接紙幣を挿入するための、紙幣挿入口を備えたものもある（例えば、特許文献１）。
【０００３】
このような遊技機であれば、遊技者が手持ちのコイン等を切らした場合に紙幣からコイン等に両替するために、席を立ってわざわざ両替機に向かうことや、遊技場の係員を呼ぶことなしに、遊技を継続することが可能なのである。
【０００４】
そして、そのような紙幣挿入口の下辺部には、当該紙幣挿入口へ紙幣を案内するための紙幣案内板が設けられているものが多い。このように紙幣案内板を設けることにより、遊技者が、当該紙幣挿入口に紙幣を挿入しやすくなるのである。
【０００５】
【特許文献１】
特開平９−１０６４７１号公報
【０００６】
【発明が解決しようとする課題】
しかしながら、遊技場においては簡単な食事や飲物をとりながら遊技を行う者も居り、何らかの弾みで当該紙幣案内板の上にこぼしてしまうことが起こりうる。また、遊技結果が自分の思い通りにならないことに苛立ち、手にしていた飲料を遊技機にかけてしまうといった不届きな者も存在する。
【０００７】
このような場合に、当該紙幣案内板は上方に面する部分の面積が比較的大きいので、他の部分と比較して、こぼされた飲料などの異物を受けやすい構造となっている。更に、当該紙幣案内板は紙幣挿入口に接して設けられているので、上述の異物は、当該紙幣挿入口へ混入してしまうおそれが生じるのである。
【０００８】
当該紙幣挿入口へ異物の混入は、遊技機の故障へと結びつくので、そのような事態を事前に防止する必要があった。
【０００９】
このような問題点に対して、紙幣案内板に、排水口を設けた遊技機が考えられたが、その遊技機は当該排水口が小さいために、目詰まりを起こしやすく、また、回収した液体は筐体の下方の空いたスペースにたれ流ししているに過ぎなかった。そのため、多量の水分がこぼされた場合には、排水性が充分でなく、結果的に筐体内部が汚染されてしまっていた。
【００１０】
本発明は、以上の問題点に鑑みてなされたものであり、その目的は、紙幣案内板上に異物がこぼれた場合であっても、当該異物が筐体内の各種装置にかかることなく回収することが可能な遊技機を提供することにある。
【００１１】
【課題を解決するための手段】
本発明は、紙幣案内板上にこぼれた液体等の異物を当該紙幣案内板に設けられた開口溝を介して回収することの可能な遊技機を提供する。
【００１２】
より具体的には、本発明は、以下のようなものを提供する。
【００１３】
（１）  筐体と、前記筐体の前面開口部に設けられた扉体と、前記扉体に設けられた紙幣挿入口と、前記紙幣挿入口の下辺部より筐体前面方向に向けて突出した、紙幣を前記紙幣挿入口に案内するための紙幣案内板と、を備える遊技機であって、前記紙幣案内板には、開口溝と、前記開口溝の略真下方向に位置し外部からの異物を誘導する誘導部と、が備えられており、前記扉体の裏面側には、前記誘導部に誘導される異物を回収するための回収容器が備えられていることを特徴とする遊技機。
【００１４】
上述した（１）の発明によれば、紙幣を紙幣挿入口に案内するための紙幣案内板を備える遊技機において「前記紙幣案内板には、開口溝と、前記開口溝の略真下方向に位置し外部からの異物を誘導する誘導部と、が備えられており、前記扉体の裏面側には、前記誘導部に誘導される異物を回収するための回収容器が備えられている」ように構成することにより、当該紙幣案内板の開口溝から入る外部からの異物を、当該誘導部を経て回収容器に回収することが可能となり、筐体内の各装置が外部からの異物により故障するといった不具合を低減し得、特に、異物が水分である場合には、この効果が顕著となる。
【００１５】
従来の遊技機においては、紙幣案内板の上に液体等の異物がこぼれてしまった場合には、そこから紙幣挿入口へと流れ込み、それが原因で内部の各種装置が故障してしまうといった問題があった。
【００１６】
そこで、本発明のように遊技機の紙幣案内板に開口溝を設けた上で、当該開口溝から流れ込む異物を回収するための回収容器を遊技機に備えることによって、当該異物が紙幣挿入口へ流入すること、及び筐体内に蓄積することによる不具合を事前に防止することが可能となるのである。
【００１７】
（２）  前記回収容器の上面開口部は、前記誘導部の下の略真下方向に位置するとともに、当該誘導部の下端部における断面よりも大きな断面積を有することを特徴とする（１）記載の遊技機。
【００１８】
上述した（２）の発明によれば、（１）の遊技機において「前記回収容器の上面開口部は、前記誘導部の下の略真下方向に位置するとともに、当該誘導部の下端部における断面よりも大きな断面積を有する」ように構成することにより、当該誘導部から誘導される外部からの異物を回収容器の外に漏れることを防止し得、該回収容器へと回収しやすくすることが可能となる。
【００１９】
（３）  前記回収容器は、前記扉体の裏面側に取り付けられており、且つ該扉体の裏面より取り外し自在に装着されていることを特徴とする（１）又は（２）記載の遊技機。
【００２０】
上述した（３）の発明によれば、（１）又は（２）の遊技機において「前記回収容器は、前記扉体の裏面側に取り付けられており、且つ該扉体の裏面より取り外し自在に装着されている」ように構成することにより、当該回収容器が扉体の裏面に一体的に形成されておらず、取り外し自在に装着されているので、外部からの異物が回収容器に溜まった際であっても比較的容易に取り外すことが可能となり、外部からの異物を回収容器から捨てることが可能となる。
【００２１】
また、当該回収容器は当該扉体の裏面に装着されているので、当該扉体を開放するのみで、他の装置の存在に影響されることなく当該回収容器の取り外しが可能となるのである。
【００２２】
（４）  前記回収容器は、その上面開口部の下部に位置する収容部分の水平断面が横方向の大きな長さ形状を有する横長の形状であるとともに、前記横方向が前記扉体の裏面に沿うように装着されていることを特徴とする（１）から（３）いずれか記載の遊技機。
【００２３】
上述した（４）の発明によれば、（１）から（３）いずれかの遊技機において「前記回収容器は、その上面開口部の下部に位置する収容部分の水平断面が横方向の大きな長さ形状を有する横長の形状であるとともに、前記横方向が前記扉体の裏面に沿うように装着されている」ように構成することにより、当該回収容器の形状を非常に薄型としやすく、そのため筐体内における省スペース性に優れ、この条件において比較的多くの異物を収容部分に回収することができる。
【００２４】
（５）  前記回収容器は、略透明状或いは半透明状の材質よりなることを特徴とする（１）から（４）いずれか記載の遊技機。
【００２５】
上述した（５）の発明によれば、（１）から（４）の遊技機において「前記回収容器は、略透明状或いは半透明状の材質よりなる」ように構成することにより、当該回収容器内に回収された外部からの異物の回収量を視認し易いので、該外部からの異物を捨てるタイミングをその都度取り外して確認することなく認識し得る。
【００２６】
【発明の実施の形態】
以下に、本発明の実施の形態について図面に基づいて説明する。尚、本実施の形態は、本発明をスロットマシンに適用して説明するが、本発明はこれに限らず、ビデオ遊技機、コイン遊技機、カード遊技機等、各種の遊技機に採用することができる。
【００２７】
次に、スロットマシンの構成を説明する。
【００２８】
図１はスロットマシン１の正面図である。スロットマシン１は、キャビネット２の開口部に扉体３が開閉自在に設けられている。また、キャビネット２の上部にトップフレーム４が取り付けられている。トップフレーム４の正面には化粧パネル板４１が施されている。
【００２９】
遊技情報を表示する表示装置２１はキャビネット２内に設置される。表示装置２１の表示を視認可能とするために、扉体３の上部には窓が形成され、表示装置２１の表示を視認可能とするため、あるいは表示装置２１を保護するための透明板が前記窓に取り付けられている。そして、前記窓の両翼には、遊技状態に応じて発生される効果音あるいは効果音楽を聴覚容易とするための透過孔９０２（９０２Ｌ及び９０２Ｒ）が形成されている。
【００３０】
扉体３の正面中央部には突出する形で操作部５が配置されている。操作部５の右側の傾斜面には、各種操作ボタンが配列されると共にコインを投入するコイン投入口５１が備えられている。操作部５の右側には、キャビネット２内に収納される紙幣識別機（ビルバリデータ）に紙幣を案内するための紙幣案内部５２が備えられている。
【００３１】
操作部５の下部には、扉体３と開閉自在に連結する枠体６が設けられている。枠体６には化粧パネル板６１が内包されている。枠体６の下部であって、扉体３の底部にはコインを収容するコイン受け皿３０が形成されている。
【００３２】
図２は操作部５の部分拡大図である。前述の紙幣案内部５２は紙幣案内板５２Ａと取着体５２Ｂで構成される。紙幣案内板５２Ａと取着体５２Ｂは一体となって、キャビネット２に取り付けられている。
【００３３】
図３は扉体３を開いた状態図である。図３に示されるように、キャビネット２内には紙幣識別機２２と紙幣収容部２３が設置されている。紙幣識別機２２は、紙幣案内部５２から投入された紙幣の真偽あるいは良否を判定する。紙幣収容部（スタッカ）２３は、紙幣識別機２２で有効とされた紙幣を収容する。紙幣案内部５２の紙幣挿入口５２０（図５参照）で案内された紙幣は、紙幣識別機２２の紙幣取入口に取り入れられる。
【００３４】
また、図３において、扉体３の裏面側には、回収容器となるドレンボトル７が取着体５２Ｂの直下に装着されている。
【００３５】
図４は紙幣案内板５２Ａの斜視図である。図４に示されるように、紙幣案内板５２Ａは複数の略直線状の溝５２１が列状に形成されている。紙幣案内板５２Ａには、紙幣案内面５２２に対して上面が僅かに沈んだ形で、溝５２１を複数の領域に仕切るための仕切部材５２３が形成されている。そして、図４に示されるように、仕切部材５２３により仕切られた溝５２１の各開口溝５２４の長さは、遊技機で使用されるコイン１０の直径よりも小さく形成されている。
【００３６】
図５は、紙幣案内板５２Ａと取着体５２Ｂが組み合わされた状態での縦断面図である。図５に示されるように、紙幣案内板５２Ａは、紙幣挿入空間となる紙幣挿入口５２０に着脱自在に取着される。また、紙幣が容易に取り入れられる様にするため、紙幣案内板５２Ａは、紙幣挿入口５２０の下辺部よりキャビネット２の前面方向に向けて突出している。
【００３７】
紙幣挿入口５２０を形成する周壁は下方に連続し、紙幣挿入口５２０と対向する第１の開口空間となる第１の開口部５２５を形成する。第１の開口部５２５を形成する周壁は更に下方に連続し、下方に向けて開放された第２の開口部５２６を形成する。紙幣挿入口５２０と第１の開口部５２５と第２の開口部５２６は、下側が頂点となる概ね四角錐体の空間を形成する。そして、紙幣案内板５２Ａは、第１の開口部５２５を覆うように形成されている。なお、第１の開口部５２５と第２の開口部５２６は、開口溝５２４を介して外部から入った異物を導くためのものである。
【００３８】
図６は、紙幣案内部５２の斜視分解組立図である。図６において、紙幣案内板５２Ａの後壁には突起５２８Ａが形成されている。紙幣案内板５２Ａの前方下壁には円柱状突起５２８Ｂが形成されている。円柱状突起５２８Ｂに雌ねじが形成されている。一方、取着体５２Ｂの第１の開口部５２５の後方内壁には係止溝５２８Ｃが形成されている。紙幣案内板５２Ａの突起５２８Ａを取着体５２Ｂの係止溝５２８Ｃに挿入し、紙幣案内板５２Ａを第１の方向に回転すれば、紙幣案内板５２Ａは取着体５２Ｂに組み立てられる。取着体５２Ｂの係止溝５２８Ｃに突起５２８Ａを挿入した状態で、第１の方向と反対の第２の方向に回転すれば、紙幣案内板５２Ａを取着体５２Ｂから分離可能になる。
【００３９】
紙幣案内板５２Ａの円柱状突起５２８Ｂと取着体５２Ｂを固定ねじＢＦで固定し、紙幣案内板５２Ａと取着体５２Ｂを一体にする。そして、一体になった紙幣案内板５２Ａと取着体５２Ｂを、操作部５のコントロールパネル５０の切り欠き部に挿入する。次に、コントロールパネル５０に設けられた取り付けブラケット５０１に、一体になった紙幣案内板５２Ａと取着体５２Ｂを固定ねじＢＦで固定し、組立完了状態となる。
【００４０】
より具体的には、図５に示されるように、取着体５２Ｂの前部に形成された溝５２７をコントロールパネル５０の縁に挿入し、取着体５２Ｂをコントロールパネル５０側に倒す。取着体５２Ｂの鍔がコントロールパネル５０の上面に当接し、固定ねじＢＦで固定すれば、固定状態となる。
【００４１】
図７は、扉体３を裏面側から見た部分図である。図７に示されるように、ドレンボトル７は扉体３の裏面側に設置される。そして、ドレンボトル７の上面開口部７０は、取着体５２Ｂにおける第２の開口部５２６の真下に位置している。つまり、ドレンボトルの上面開口部７０の重心と第２の開口部５２６の重心が、概ね一致するようにドレンボトル７は設置される。また、ドレンボトル７の上面開口部７０の断面積は、第２の開口部５２６の下端部における断面よりも大きくなっている。
【００４２】
図８は、枠体６の斜視分解組立図である。図８において、枠板６３２は、概ねコの字状に形成され、化粧パネル板６１が収容される。また、枠板６３２には、カバー６２が取り付けられる。枠板６３２の左翼には、枠体６を扉体３に施錠あるいは解錠するためのシリンダ錠６Ａが設けられている。枠板６３２の右翼には、貫通穴６３３が形成される。貫通穴６３３に支軸６４が挿入され、枠体６は扉体３と回転結合する。したがって、化粧パネル板６１とカバー６２と枠板６３２は一体となって開閉する。
【００４３】
カバー６２の背面には、引掛り金具７１が二つ取り付けられている。一方、ドレンボトル７の左右側面には、円柱状のピン７Ａが突出している。引掛り金具７１のＵ字状溝にピン７Ａが係止して、ドレンボトル７がカバー６２の背面に設置される状態となる。また、ドレンボトル７を持ち上げれば、引掛り金具７１とピン７Ａの係止状態が解消し、ドレンボトル７を別の場所に移動できる。なお、ドレンボトル７が枠体６に設置される状態においては、ドレンボトル７の底面は、枠体６の底面より若干上に位置する。
【００４４】
図８に示されるように、ドレンボトル７は上面開口部７０の下部に位置する収容部分の水平断面が横方向の大きな長さ形状を有する横長薄型の形状となっている。そして、前記横方向のドレンボトル７は、カバー６２の裏面に沿うように装着されている。
【００４５】
ドレンボトル７は略透明状あるいは半透明状の材質よりなる物質（例えば、ガラスあるいは合成樹脂）で形成されている。そして、ドレンボトル７の液体収容能力は約１リットルである。
【００４６】
次に、作用を説明する。図４において説明されたように、紙幣案内板５２Ａは複数の開口溝５２４が列状に形成されている。したがって、紙幣案内板５２Ａ上に飲料等の異物がこぼれた場合であっても、開口溝５２４を通じて異物がキャビネット２内部の各種装置にかかることなく回収することが可能となり、当該各種装置の破損を防止することが可能となる。
【００４７】
また、図５に示されるように、紙幣案内板５２Ａは底面が開口した袋状になっており、内周壁は溶液あるいは投入された異物が底面に自重落下しやすい傾斜面を形成している。同様に、取着体５２Ｂにおける第１の開口部５２５と第１の開口部５２５に連続する第２の開口部５２６も底面が開口した袋状になっており、内周壁は水溶液あるいは投入された異物が底面に自重落下しやすい傾斜面を形成している。
【００４８】
すなわち、開口溝５２４の略真下方向に位置する第１の開口部５２５と第２の開口部５２６は、外部からの溶液などを含む異物を誘導する誘導部を形成している。そして、図７に示されるように、取着体５２Ｂの第２の開口部５２６の真下にドレンボトル７を備えることにより、前記誘導部に誘導される異物をドレンボトル７に回収できる。
【００４９】
このようにして、紙幣案内板５２Ａの開口溝５２４から入る外部からの異物を、前記誘導部を経てドレンボトル７に回収することが可能となる。そして、キャビネット２内の各装置が外部からの異物により故障するといった不具合を低減し得、特に、異物が水分である場合には、この作用は顕著となる。
【００５０】
次に、図７における作用を説明する。「ドレンボトル７の上面開口部７０の断面積は、第２の開口部５２６の下端部における断面よりも大きくなっている」ことは既に説明された。前記のように構成することにより、図５における取着体５２Ｂから誘導される外部からの異物をドレンボトル７の外に漏れることを防止し得、ドレンボトル７へと回収しやすくすることが可能となる。
【００５１】
また、図８では、「カバー６２の引掛り金具７１とドレンボトル７のピン７Ａが係止あるいは係止状態を解消できる」ことを説明した。すなわち、ドレンボトル７が扉体３の裏面に一体的に形成されておらず、取り外し自在に装着されている。外部からの異物がドレンボトル７に溜まった際であっても比較的容易にドレンボトル７を取り外すことが可能となり、外部からの異物をドレンボトル７から捨てることが可能となる。また、ドレンボトル７は扉体３の裏面に装着されているので、扉体３を開放するのみで、他の装置の存在に影響されることなくドレンボトル７の取り外しが可能となるのである。
【００５２】
また、図８の説明においては、「ドレンボトル７は上面開口部７０の下部に位置する収容部分の水平断面が横方向の大きな長さ形状を有する横長の形状となっている。そして、前記横方向のドレンボトル７は、カバー６２の裏面に沿うように装着されている」ことが述べられた。
【００５３】
図３で説明されたように、キャビネット２内には紙幣識別機２２と紙幣収容部２３が設置されている。また、キャビネット２内部にはコインガイド２４が配置されている。コインガイド２４の背後にはスロットマシン１を制御するためのプリント基板あるいはシェルフ２５が実装されている。更に、コインガイド２４の下部には、図示されないホッパーが配置されている。このように、キャビネット２内部は過密実装状態であり、ドレンボトル７がキャビネット２内部に向けて突出するスペースは存在しない。
【００５４】
また、図７に示されるように、コイン投入口５１から投入されたコイン１０をコインガイド２４あるいはコイン受け皿３０に振り分けるコイン振り分け装置が、扉体３の背面であって、取着体５２Ｂに隣接している。
【００５５】
以上のように限られたスペースの中から、ドレンボトル７の収容能力を大きくするために、ドレンボトル７は横長薄型の形状に至った。つまり、ドレンボトル７はキャビネット２内における省スペース性に優れ、前記の制約条件において比較的多くの異物を収容部分（ドレンボトル７内）に回収することができるようになった。
【００５６】
また、また、図８の説明においては、「ドレンボトル７は略透明状あるいは半透明状の材質よりなる物質（例えば、ガラスあるいは合成樹脂）で形成されている」ことを述べた。扉体３あるいは枠体６を開くと、扉体３あるいは枠体６と共にドレンボトル７も移動し、ドレンボトル７を視認可能となる。その際に、ドレンボトル７は略透明状あるいは半透明状の材質よりなる物質で形成すれば、ドレンボトル７内に回収された外部からの異物の回収量を視認し易くなる。そして、外部からの異物を捨てるタイミングを、その都度ドレンボトル７内を取り外して確認することなく回収量を認識し得る。
【００５７】
【発明の効果】
本発明によれば、紙幣を前記紙幣挿入口に案内するための紙幣案内板を備えた遊技機において「前記紙幣案内板には、開口溝と、前記開口溝の略真下方向に位置し外部からの異物を誘導する誘導部と、が備えられており、前記扉体の裏面側には、前記誘導部に誘導される異物を回収するための回収容器が備えられている」ように構成することにより、当該紙幣案内板の開口溝から入る外部からの異物を、当該誘導部を経て回収容器に回収することが可能となり、筐体内の各装置が外部からの異物により故障するといった不具合を低減し得、特に、異物が水分である場合には、この作用が顕著となる。
【００５８】
また、本発明によれば、前述の遊技機において、「前記回収容器の上面開口部は、前記誘導部の下の略真下方向に位置するとともに、当該誘導部の下端部における断面よりも大きな断面積を有する」ように構成することにより、当該誘導部から誘導される外部からの異物を回収容器の外に漏れることを防止し得、該回収容器へと回収しやすくすることが可能となる。
【００５９】
更に、本発明によれば、前述の遊技機において、「前記回収容器は、前記扉体の裏面側に取り付けられており、且つ該扉体の裏面より取り外し自在に装着されている」ように構成することにより、当該回収容器が扉体の裏面に一体的に形成されておらず、取り外し自在に装着されているので、外部からの異物が回収容器に溜まった際であっても比較的容易に取り外すことが可能となり、外部からの異物を回収容器から捨てることが可能となる。
【００６０】
また、本発明によれば、前述のいずれかの遊技機において、「前記回収容器は、その上面開口部の下部に位置する収容部分の水平断面が横方向の大きな長さ形状を有する横長の形状であるとともに、前記横方向が前記扉体の裏面に沿うように装着されている」ように構成することにより、当該回収容器の形状を非常に薄型としやすく、そのため筐体内における省スペース性に優れ、この条件において比較的多くの異物を収容部分に回収することができる。
【００６１】
更に、本発明によれば、前述の遊技機において「前記回収容器は、略透明状或いは半透明状の材質よりなる」ように構成することにより、当該回収容器内に回収された外部からの異物の回収量を視認し易いので、該外部からの異物を捨てるタイミングをその都度取り外して確認することなく認識し得る。
【図面の簡単な説明】
【図１】本発明におけるスロットマシンの正面図である。
【図２】本発明における操作部の部分拡大図である。
【図３】本発明における扉体を開いた状態図である。
【図４】本発明における紙幣案内板の斜視図である。
【図５】本発明における紙幣案内板と取着体が組み合わされた状態での縦断面図である
【図６】本発明における紙幣案内部の斜視分解組立図である。
【図７】本発明における扉体を裏面側から見た部分図である。
【図８】本発明における枠体の斜視分解組立図である。
【符号の説明】
１  スロットマシン
２  キャビネット
３  扉体
４  トップフレーム
５  操作部
６  枠体
７  ドレンボトル
７Ａ  ピン
１０  コイン
２１  表示装置
２２  紙幣識別機
５２  紙幣案内部
５２Ａ  紙幣案内板
５２Ｂ  取着体
７０  上面開口部
７１  引掛り金具
５２０  紙幣挿入口
５２１  溝
５２２  紙幣案内面
５２３  仕切部材
５２４  開口溝
５２５  第１の開口部
５２６  第２の開口部
【図１】
2004147880.tif 000003
【図２】
2004147880.tif 000004
【図３】
2004147880.tif 000005
【図４】
2004147880.tif 000006
【図５】
2004147880.tif 000007
【図６】
2004147880.tif 000008
【図７】
2004147880.tif 000009
【図８】
2004147880.tif 000010